(57)【要約】【課題】容易に敷設配設でき、しかも、所定範囲に敷設した薄板の上に敷いた布団等の全体を満遍なく確実に脱臭・除湿できるだけでなく、布団等を凹凸の影響なく使用することができ、更に、布団等を敷いた場合にも高さが高くならず安定して使用でき、この薄板を例えば布団と床面との間等に自由に持ち運んで敷設配設するだけで常に布団等を快適に使用することができる極めて扱い易い実用的で画期的な敷設可能に構成した脱臭・除湿器を提供すること。【解決手段】所定範囲に敷設可能な薄板１上に細長い収納部２を間隔をおいて多数並設状態に設け、この収納部２は脱臭若しくは除湿または脱臭と除湿双方の性質を持つ炭等のフィルタ材３を収納し得るように構成され、前記収納部２の突出高さを低くしてこの収納部２を多数並設した前記薄板１を所定範囲に持ち運び布団の下に敷設配設し得るように構成した脱臭・除湿器。【選択図】　　　　図２
2004057589.tif 000002
【特許請求の範囲】
【請求項１】
所定範囲に敷設可能な薄板上に細長い収納部を間隔をおいて多数並設状態に設け、この収納部は脱臭若しくは除湿または脱臭と除湿双方の性質を持つ炭等のフィルタ材を収納し得るように構成され、前記収納部の突出高さを低くしてこの収納部を多数並設した前記薄板を所定範囲に持ち運び布団の下に敷設配設し得るように構成したことを特徴とする脱臭・除湿器。
【請求項２】
前記収納部は断面視コ字状で、この収納部の開口部から前記フィルタ材を収納し得るように構成されていることを特徴とする請求項１に記載の脱臭・除湿器。
【請求項３】
前記薄板上に桟を間隔をおいて複数並設状態に設けて、この桟間には桟と間隔をおいて略平行に前記収納部を並設状態に設け、この収納部には多数の通気孔を設けたことを特徴とする請求項１，２のいずれか一項に記載の脱臭・除湿器。
【請求項４】
前記薄板は、敷設面の形状に応じて屈曲し得るように構成若しくは敷設面の形状に応じて屈曲し得る柔軟性材で構成したことを特徴とする請求項１〜３のいずれか一項に記載の脱臭・除湿器。
【発明の詳細な説明】
【０００１】
【発明の属する技術分野】
本発明は、空間だけでなく布団やベッド等にこもった臭いや湿気を除去できる敷設可能に構成した脱臭・除湿器に関するものである。
【０００２】
【従来の技術及び発明が解決しようとする課題】
布団やベッドは毎日長時間使用され、通気性も悪いため内部に臭いや湿気がこもり易く、まめに干したりクリーニング等の手入れをしないとダニが増えたり、カビが生えたり、柔らかさが失われたりと布団本来の安眠効果を得られなくなる場合がある。
【０００３】
しかし、この干したりクリーニング等の手入れをするのは手間がかかるため頻繁には行なわれていないのが現状であり、特に、近年の高齢化に伴い、寝たきりの人や要介護者等が増加し、これら自力での布団の手入れが困難で長期間手入れを行うことができない人は、充分な安眠効果を得ることができない状態での就寝を余儀なくされ、これら寝たきりの人等を介護する人もまた、臭い等で不快となりながら介護を行うことになる等、寝たきりの人だけでなく介護する人にかかるストレスの更なる増加は避けられない。
【０００４】
そこで、以上のような手間を無くして常に布団等を快適に使用できるようにして、就寝する人だけでなく、介護する人も快適に過ごすことができるように、容易に入手可能な脱臭器や除湿器でこの布団等の脱臭・除湿をすることが考えられたが、従来の脱臭器や除湿器は主に空間を対象とするものであり、部屋等の狭い場所にも置くことができるようにやや縦長に構成されているため、これらを密着させて布団等の内部にこもった臭いや湿気を除去する場合には以下のような不都合を生じてしまう。
【０００５】
例えば、床面に脱臭器や除湿器を敷き詰め、その上に布団を敷いた場合には、布団を敷く面は平坦となり、布団の表面に凹凸が出て就寝時に邪魔になることはないが、多数の脱臭器や除湿器を扱わねばならない点が不便であり、また、これら脱臭器や除湿器は、ある程度の高さを有するため就寝時の安定性も欠くことになる。
【０００６】
また、少数の脱臭器や除湿器の上に布団を敷いた場合には、脱臭器や除湿器によって布団の表面に凹凸が出てしまい就寝時に邪魔になってかえって不快となり、その上、脱臭・除湿効果も充分に得ることができない。
【０００７】
本発明は、上述のような現状に鑑み、所定範囲に敷設可能な薄板上に細長い収納部を間隔をおいて多数並設状態に設け、この収納部に脱臭若しくは除湿または脱臭と除湿双方の性質を持つ炭等のフィルタ材を収納し得るように構成し、前記収納部の突出高さを低くしてこの収納部を多数並設した前記薄板を所定範囲に持ち運び布団の下に敷設配設し得るように構成することで、薄板を自由に持ち運ぶことができるから容易に敷設配設でき、しかも、この薄板上にはフィルタ材を収納した細長い収納部が多数並設されているから所定範囲に敷設した薄板の上に敷いた布団等の全体を満遍なく確実に脱臭・除湿できるだけでなく、布団等を凹凸の影響なく使用することができ、更に、この収納部は突出高さを低くしているから布団等を敷いた場合にも高さが高くならず安定して使用できるため、この薄板を例えば布団と床面との間等に自由に持ち運んで敷設配設するだけで常に布団等を快適に使用することができる極めて扱い易い実用的で画期的な敷設可能に構成した脱臭・除湿器を提供するものである。
【０００８】
【課題を解決するための手段】
添付図面を参照して本発明の要旨を説明する。
【０００９】
所定範囲に敷設可能な薄板１上に細長い収納部２を間隔をおいて多数並設状態に設け、この収納部２は脱臭若しくは除湿または脱臭と除湿双方の性質を持つ炭等のフィルタ材３を収納し得るように構成され、前記収納部２の突出高さを低くしてこの収納部２を多数並設した前記薄板１を所定範囲に持ち運び布団の下に敷設配設し得るように構成したことを特徴とする脱臭・除湿器に係るものである。
【００１０】
また、前記収納部２は断面視コ字状で、この収納部２の開口部から前記フィルタ材３を収納し得るように構成されていることを特徴とする請求項１に記載の脱臭・除湿器に係るものである。
【００１１】
また、前記薄板１上に桟４を間隔をおいて複数並設状態に設けて、この桟４間には桟４と間隔をおいて略平行に前記収納部２を並設状態に設け、この収納部２には多数の通気孔５を設けたことを特徴とする請求項１，２のいずれか一項に記載の脱臭・除湿器に係るものである。
【００１２】
また、前記薄板１は、敷設面の形状に応じて屈曲し得るように構成若しくは敷設面の形状に応じて屈曲し得る柔軟性材で構成したことを特徴とする請求項１〜３のいずれか一項に記載の脱臭・除湿器に係るものである。
【００１３】
【発明の実施の形態】
好適と考える本発明の実施の形態（発明をどのように実施するか）を、図面に基づいてその作用効果を示して簡単に説明する。
【００１４】
例えば、床面に薄板１を敷設し、この薄板１の上に布団を敷く。
【００１５】
この際、薄板１は所定範囲に持ち運んで敷設配設可能であるから、好きな場所に布団の大きさに合わせて容易に敷設できる。
【００１６】
この薄板１上にはフィルタ材３を収納した細長い収納部２が多数並設されているから、所定範囲に敷設した薄板１に敷いた布団全体を満遍なくフィルタ材３の効果の及ぶ範囲に収めることができ、更に、この細長い収納部２には布団全体を脱臭・除湿できる充分な量のフィルタ材３を収納することができるから、薄板１に敷いた布団全体を満遍なく確実に脱臭・除湿でき、しかも、この薄板１上に敷いた布団等を凹凸の影響なく使用することができる。
【００１７】
また、この細長い収納部２の側面と薄板１の表面と布団の底面とにより、薄板１と布団との間には多数の細長い空間ができ、この空間により通気性が良くなるから、特定部分のフィルタ材３だけが使用されず、収納されているフィルタ材３が満遍なく使用されるから効率よく脱臭・除湿を行うことができる。
【００１８】
更に、この収納部２は突出高さを低くしているから、布団等の高さが高くならず安定して使用することができる。
【００１９】
即ち、フィルタ材３を収納できる収納部２を設けた薄板１を床面に敷設し、この薄板１に布団を敷くだけで布団全体を確実にしかも効率よく脱臭・除湿でき快適に使用することができるから無駄がなく極めて扱い易い。
【００２０】
従って、本発明は、薄板を自由に持ち運ぶことができるから容易に敷設配設でき、しかも、この薄板上のフィルタ材を収納した細長い収納部が多数並設されているから所定範囲に敷設した薄板の上に敷いた布団等の全体を満遍なく確実に脱臭・除湿できるだけでなく、布団等を凹凸の影響なく使用することができ、更に、この収納部は突出高さを低くしているから布団等を敷いた場合にも高さが高くならず安定して使用できるため、この薄板を例えば布団と床面との間等に自由に持ち運んで敷設配設するだけで常に布団等を快適に使用することができる極めて扱い易い実用的で画期的な敷設可能に構成した脱臭・除湿器を提供できることとなる。
【００２１】
【実施例】
本発明の具体的な実施例について図面に基づいて説明する。
【００２２】
本実施例は図１〜６に示すように、所定範囲に敷設可能な薄板１に桟４を間隔をおいて複数並設状態に設け、この桟４間に夫々細長い断面視コ字状の収納部２を桟４と間隔をおいて略平行に並設状態に設け、この収納部２には多数の通気孔５を設けたもので、この収納部２は脱臭若しくは除湿または脱臭と除湿双方の性質を持つ炭等のフィルタ材３を開口部を通じて収納し得るように構成され、前記収納部２の突出高さを低くしてこの収納部２を多数並設した前記薄板１を所定範囲に持ち運び布団の下に敷設配設し得るように構成したものである。
【００２３】
各部を具体的に説明すると、薄板１は敷設面の形状に応じて屈曲し得るように構成若しくは敷設面の形状に応じて屈曲し得る柔軟性材で構成したものである。
【００２４】
本実施例においては、柔軟性材で構成されたカーペット状のものが採用されている。
【００２５】
この薄板１は、薄板１上の桟４及び収納部２の長さ方向と平行方向の動きに対して、屈曲し得るように構成されている。
【００２６】
即ち、例えば図５に示すように、桟４及び収納部２の長さ方向とベッド９のマット１０の長さ方向とを直交させるようにベッド９の底部に敷設し、この上にマット１０を敷いた場合に、仮に図６に示すようにベッド９を可動してマット１０を変形させようとすると、この薄板１がベッド９の動きに応じて屈曲するように構成されている。
【００２７】
また、本実施例においては、薄板１自体を柔軟性材により構成したが、薄板１自体が柔軟性のないものであっても薄板１を幅狭に形成し、この幅狭の薄板１を可動自在な連結部により多数連結することで、屈曲し得る構成とすることができる。
【００２８】
収納部２は図２，３に示すように、上部を開口して底部は薄板１と接着され、この上部開口部からフィルタ材３を出入自在に収納できるように構成されている。
【００２９】
また、この収納部２は高さを極力低く設定し、上に敷いた布団等に凹凸がでないように構成されている。
【００３０】
本実施例においては、この収納部２の高さは、フィルタ材３が出入自在に収納可能であることから、フィルタ材３を自由に交換できること（フィルタ材３の寿命をさほど気にしなくてもよいこと）を考慮した上で、約３ｃｍに設定されている。
【００３１】
また、この収納部２の端部には、収納したフィルタ材３をこぼれないようにするストッパー６が設けられ、このストッパー６にも通気孔５が設けられている。
【００３２】
尚、図中符号７は収納部２に収納したフィルタ材３が片寄らないようにするための仕切りで、この仕切りにも通気孔５が設けられており、８は収納部２を補強する補強桟である。
【００３３】
また、本実施例においては、細長い収納部２を採用しているが、コップ状のものでも、細長い収納部２を折り曲げたり短い収納部２を集めたりして円形状や多角形状にしたものでもよく、例えば、コップ状の収納部２を多数薄板１に所定間隔で縦横に並設した場合には、縦横両方向に対して屈曲し得る構成とすることができ、敷設した面の変形に一層対応できるようになる。
【００３４】
フィルタ材３は、備長炭を小塊状にしたものが採用され、この小塊状の備長炭が収納部２に敷き詰められている。
【００３５】
また、この備長炭は小塊状にしないで棒状のまま収納部２に収納してもよく、その場合には、備長炭がより散らばりにくく扱い易くなる。
【００３６】
尚、この備長炭は上部を開口している収納部２に収納されているが、そもそも備長炭は浄水や米を炊く際に用いられるようなものであるから、布団等に付着しても汚れてしまうという心配はない。
【００３７】
また、本実施例においては、フィルタ材３に備長炭を採用しているが、市販の脱臭剤や除湿剤を収納してもよく、その場合にはコスト安に脱臭・除湿効果を得ることができる。
【００３８】
桟４は、断面視四角形状で、高さが収納部２と略同じ高さに設定され、底部は薄板１に接着されている。
【００３９】
この桟４の底部は、本実施例においてはスリット板１１を挟んで薄板１と接着され、このスリット板１１には所定間隔で通気用スリットが形成されている。
【００４０】
また、本実施例においては、桟４を間隔をおいて多数並設状態で薄板１上に設けているが、収納部２を布団等の荷重に耐え得るように構成することで、収納部２が桟４の役割を兼務できることになり、桟４を設けなくてもよい構成となる。
【００４１】
また、本実施例においては、桟４に通気孔５が設けられていないが、この通気孔５を設けてもよく、その場合には、一層通気性に秀れたものとなる。
【００４２】
また、本実施例においては、薄板１の収納部２及び桟４の上に布団等を敷く構成としているが、この収納部２及び桟４の上に更に通気孔５を多数設けた薄板１を設けてもよく、その場合には、より確実に布団を平坦に支承することができ、更に、フィルタ材３が一層こぼれにくくなり且つ布団等に付着する心配も一層なくなり、その上、薄板１を屈曲し得るように構成することで、布団等の変形にも対応できるものとなる。
【００４３】
本実施例は上述のように構成したから、薄板１は所定範囲に持ち運んで敷設配設可能であり、好きな場所に布団等の大きさと同程度の範囲で敷設できるから、例えば図５に示すように、変形可能なベッド９の底部にも薄板１を容易に敷設することができ、この薄板１の上にマット１０を敷き、その上には人が寝ることができる。
【００４４】
この薄板１は、ベッド９の長さ方向に対して薄板１上の収納部２を直交させて敷設することで、ベッド９の長さ方向の変形に応じて屈曲して常にマット１０全体を脱臭・除湿できるように構成されているから、寝る人が使いやすいようにベッド９を変形させてもその変形に応じて屈曲することができ、例えば図６に示すようにベッド９を寝ている人の腰の辺りから起こした際にも確実にマット１０全体を収納部２に収納されたフィルタ材３で脱臭・除湿することができるから、寝ている人の頭部から爪先までを常に快適な状態とすることができる。
【００４５】
即ち、一枚の薄板１だけでベッド９等の変形に対応して常に快適な状態で使用することができるから極めて扱い易い。
【００４６】
しかも、この薄板１上にはフィルタ材３を収納した細長い収納部２が多数並設されているから、所定範囲に敷設した薄板１に敷いたマット１０全体を満遍なくフィルタ材３の効果の及ぶ範囲に収めることができ、更に、この細長い収納部２にはマット１０全体を脱臭・除湿できる充分な量のフィルタ材３を収納することができるから、薄板１に敷いたマット１０全体を満遍なく確実に脱臭・除湿でき、その上、この薄板１上に敷いたマット１０を凹凸の影響なく使用することができる。
【００４７】
また、この細長い収納部２若しくは桟４の側面と薄板１の表面とマット１０の底面とにより、薄板１とマット１０との間には多数の細長い空間ができ、この空間により通気性が良くなるから、特定部分のフィルタ材３だけが使用されず、収納されているフィルタ材３が満遍なく使用されるから効率よく脱臭・除湿を行うことができる。
【００４８】
更に、この収納部２は突出高さを極力低くしているから、マット１０の高さが高くならず安定して使用することができる。
【００４９】
即ち、フィルタ材３を収納できる収納部２を設けた薄板１をベッド９に敷設し、この薄板１にマット１０を敷くだけでマット１０全体を確実に効率よく脱臭・除湿でき、このマット１０に寝る人は快適に寝ることができるから極めて扱い易い。
【００５０】
更に、収納部２には通気孔５が多数設けられているから、より一層通気性に秀れたものとなり、一層快適にベッド９を使用することができる。
【００５１】
しかも、桟４と薄板１との間のスリット板１１にも、通気用スリットが形成されているから極めて通気性に秀れ、極めて快適にベッド９を使用することができる。
【００５２】
また、フィルタ材３は収納部２に出入自在に収納されているから、フィルタ材３を自由に交換できるようになり、常に快適な状態を維持して一層快適にベッド９を使用できる。
【００５３】
従って、本実施例は、所定範囲に持ち運んで敷設配設可能なだけでなく、介護用ベッド等の変形可能なベッド９の変形にも対応して常にマット１０全体、つまり寝ている人の頭部から爪先までを脱臭・除湿することができ、しかも、マット１０は凹凸の影響を受けずに且つ安定して使用でき、その上、フィルタ材３に備長炭を用いているから、脱臭と除湿の双方の効果を持つだけでなく、清浄効果も持つから快適に就寝でき、介護する人の負担を大きく軽減できる変形可能な介護用ベッド等に極めて適した画期的なものとなる。
【００５４】
【発明の効果】
本発明は上述のように構成したから、収納部が設けられている薄板を例えば布団と床面との間等に自由に持ち運んで敷設配設できるから極めて扱い易く、しかも、この薄板上のフィルタ材を収納した細長い収納部が多数並設されているから所定範囲に敷設した薄板の上に敷いた布団等の全体をカバーして確実に脱臭・除湿できるだけでなく、布団等を凹凸の影響なく使用することができ、更に、この収納部は突出高さを低くしているから布団等を敷いた場合にも高さが高くならず安定して使用でき、常に布団等を快適に使用することができる極めて実用的で画期的な敷設可能に構成した脱臭・除湿器を提供できることとなる。
【００５５】
また、請求項２に記載の発明においては、フィルタ材を自由に交換できるようになり、常に快適な状態を維持して一層快適に布団等を使用できる実用的な敷設可能に構成した脱臭・除湿器を提供できることとなる。
【００５６】
また、請求項３に記載の発明においては、敷いた布団等をより確実に凹凸なく平坦な通常の布団等として使用でき、しかも、通気性に極めて秀れた一層実用的な敷設可能に構成した脱臭・除湿器を提供できることとなる。
【００５７】
また、請求項４に記載の発明においては、介護用ベッド等の変形可能なベッド等の変形に対応して変形でき、常に脱臭・除湿を行うことができる一層実用的で画期的な敷設可能に構成した脱臭・除湿器を提供できることとなる。
【図面の簡単な説明】
【図１】本実施例の説明斜視図である。
【図２】本実施例の拡大説明斜視図である。
【図３】本実施例の収納部の説明側断面図である。
【図４】本実施例の説明正面図である。
【図５】本実施例の使用状態図である。
【図６】本実施例の使用状態図である。
【符号の説明】
１　薄板
２　収納部
３　フィルタ材
４　桟
５　通気孔
【図１】
2004057589.tif 000003
【図２】
2004057589.tif 000004
【図３】
2004057589.tif 000005
【図４】
2004057589.tif 000006
【図５】
2004057589.tif 000007
【図６】
2004057589.tif 000008